(57)【特許請求の範囲】
【請求項１】
前面開放した箱型の本体部の前面に上下開閉可能に開閉扉を設けるとともに、該開閉扉の下部に沿って引手部材を設け、前記本体部の両側面板の外側には前記引手部材の引き下げ動作によって前記開閉扉が本体部の上方へ開放するためのリンク機構部が設けられた上キャビネットを、デスクの天板後方の左右に立設した支柱の上端部に取付けるためのデスクにおける上キャビネットの支持装置であって、前記両支柱の上端間に支持板を取付け、前記本体部の底面板の前後中央部に左右両側に連続した下方開放の凹段部を形成し、該凹段部を前記支持板に上方から嵌合した状態で載置するとともに、本体部の端部に取付ける側面カバーで前記リンク機構部が覆われ、更に該側面カバーの下端部で前記凹段部の側方開放部を塞ぎ、且つ前記支持板の側端を当止した状態で、前記底面板を前記支持板に固定することを特徴とするデスクにおける上キャビネットの支持装置。
【請求項２】
前記本体部の側面板の下縁には外側へ折曲した下片を有し、前記側面カバーの内側面の下縁部に、前記下片の前後部に形成したスリット孔に上方から落とし込む下向き爪片を形成するとともに、前記側面カバーの上縁に前記本体部の上面板の側縁上面に係止する係止片を形成し、上方から係止片をネジ止めし、前記側面板と側面カバーとの間に前記リンク機構部を設けている請求項１記載のデスクにおける上キャビネットの支持装置。
【請求項３】
前記支持板の上に複数の上キャビネットを載置して支持する際に、中間部に設ける側面カバーは、下縁部に前記支持板を受け入れる切欠部を形成し、中央部で接合された一方の上キャビネットの側面板、側面カバーと他方の上キャビネットの側面板、側面カバーとを貫通させた雄ネジと雌ネジとで締結してなる請求項２記載のデスクにおける上キャビネットの支持装置。
【発明の詳細な説明】
【技術分野】
【０００１】
本発明は、デスクにおける上キャビネットの支持装置に係わり、更に詳しくはデスクの後部に立設した支柱の上端部に上キャビネットを取付けるためのデスクにおける上キャビネットの支持装置に関するものである。
【背景技術】
【０００２】
従来から、デスクの天板後部の両側部に支柱を立設し、該支柱の上端部にキャビネットを取付けたものは各種提供されている。例えば、特許文献１には、天板後部の両側部に立設した各支柱の上端には、前後方向を向く支持板（ブラケット）のやや後部下面が固着され、左右の両支持板をもって、棚板やキャビネット等を支持するようにした構成が開示されている。
【０００３】
また、特許文献２には、机の後部に立設した左右１対の支柱の上端に、前後方向を向く角筒状の水平のブラケットの後部が溶接により固着され、左右のブラケットの上面にまたがって、水平の支持板が取付けられ、この支持板上に、キャビネットを前後位置調節可能として取付けた懸架キャビネット付き机が開示されている。
【０００４】
しかし、特許文献１記載のものは、支柱の上端に取付けたブラケットの上に直接キャビネットを懸架状態で取付けるので、キャビネット自体に高い曲げ剛性を持たせなければならず、キャビネットの重量が重くなるといった欠点を有するとともに、ブラケットとキャビネットの底面との位置合わせが容易でないのである。また、特許文献２記載のものは、支持板の上面にキャビネットの底板を重ねてネジ止めする構造であるので、支持板の厚みが外観性において重々しく感じられ、更にキャビネットの平らな底板を支持板の上に載置し、ネジ穴を前後に長い長孔としてキャビネットの前後位置を調節できるようにしたので、正確な位置決めは困難であり、そのため支持板の後端と机の後端とを、ほぼ同一垂直面上に整合させるように取付けるようにしたのであるが、取付作業に手間がかかる。
【特許文献１】特開２００３−１５９１２６号公報
【特許文献２】特開２００３−１３５１６６号公報
【発明の開示】
【発明が解決しようとする課題】
【０００５】
そこで、本発明が前述の状況に鑑み、解決しようとするところは、デスクの天板後部の両側部に支柱を立設し、該支柱の上端部に上キャビネットを取付ける際に、上キャビネットの位置決めが容易で、取付作業も簡単であり、しかも外観性においてもすっきりとしたものとすることができるデスクにおける上キャビネットの支持装置を提供する点にある。
【課題を解決するための手段】
【０００６】
本発明は、前述の課題解決のために、前面開放した箱型の本体部の前面に上下開閉可能に開閉扉を設けるとともに、該開閉扉の下部に沿って引手部材を設け、前記本体部の両側面板の外側には前記引手部材の引き下げ動作によって前記開閉扉が本体部の上方へ開放するためのリンク機構部が設けられた上キャビネットを、デスクの天板後方の左右に立設した支柱の上端部に取付けるためのデスクにおける上キャビネットの支持装置であって、前記両支柱の上端間に支持板を取付け、前記本体部の底面板の前後中央部に左右両側に連続した下方開放の凹段部を形成し、該凹段部を前記支持板に上方から嵌合した状態で載置するとともに、本体部の端部に取付ける側面カバーで前記リンク機構部が覆われ、更に該側面カバーの下端部で前記凹段部の側方開放部を塞ぎ、且つ前記支持板の側端を当止した状態で、前記底面板を前記支持板に固定することを特徴とするデスクにおける上キャビネットの支持装置を構成した（請求項１）。
【０００７】
そして、前記本体部の側面板の下縁には外側へ折曲した下片を有し、前記側面カバーの内側面の下縁部に、前記下片の前後部に形成したスリット孔に上方から落とし込む下向き爪片を形成するとともに、前記側面カバーの上縁に前記本体部の上面板の側縁上面に係止する係止片を形成し、上方から係止片をネジ止めし、前記側面板と側面カバーとの間に前記リンク機構部を設けていることが好ましい（請求項２）。
【０００８】
また、前記支持板の上に複数の上キャビネットを載置して支持する際に、中間部に設ける側面カバーは、下縁部に前記支持板を受け入れる切欠部を形成し、中央部で接合された一方の上キャビネットの側面板、側面カバーと他方の上キャビネットの側面板、側面カバーとを貫通させた雄ネジと雌ネジとで締結してなることも好ましい（請求項３）。
【発明の効果】
【０００９】
以上にしてなる請求項１に係る発明のデスクにおける上キャビネットの支持装置は、デスクの天板後方の左右に立設した両支柱の上端間に支持板を取付け、上キャビネット本体部の底面板の前後中央部に左右両側に連続した下方開放の凹段部を形成し、該凹段部を前記支持板に上方から嵌合した状態で載置したので、前後方向の移動を規制することができるとともに、前後方向の正確な位置決めが図れ、また本体部の端部に取付ける側面カバーの下端部で前記凹段部の側方開放部を塞ぎ、且つ前記支持板の側端を当止するので、側方への移動を規制することができるとともに、横方向の正確な位置決めが図れるのであり、その後の底面板を支持板に固定する作業、例えばネジにて締結する作業が極めて容易になるのである。また、支持板は本体部の底面板の凹段部内に収容されるので、支持板と底面板とが一体化して目立たなくなり、すっきりとした外観を得るのである。更に、本体部の両側面板の外側に開閉扉を上方へ開放するためのリンク機構部が設けられ、本体部の端部に取付ける側面カバーで前記リンク機構部が覆われるようにしたので、側面カバーを外した状態で本体部の両側にリンク機構部を組み付けることができるので、キャビネットの組立作業が容易である。
【００１０】
請求項２によれば、側面カバーは内側面の下縁部に形成した下向き爪片を、本体部の側面板の下縁の外向き下片の前後部に形成したスリット孔に上方から落とし込むとともに、側面カバーの上縁に形成した係止片を本体部の上面板の側縁上面に係止し、上方から係止片を本体部にネジ止めする構造であるので、側面カバーの取付作業が簡単であり、また着脱可能であるので、必要に応じて側面カバーを外してリンク機構部を露出させることができ、また側面カバーの下部は下向き爪片がスリット孔に係合しているので、側方への支持強度が高く、従って前記支持板の側端を当止して側方への移動規制するのに効果的である。
【００１１】
請求項３によれば、横幅の狭い上キャビネットを支持板の上に複数取付け、互に連結することにより、横幅の広い一体となった上キャビネットを構成でき、上キャビネット個々の剛性及び強度に対する要求を緩和して、コスト低減化を図ることができる。
【発明を実施するための最良の形態】
【００１２】
次に、添付図面に示した実施形態に基づき、本発明を更に詳細に説明する。図１は本発明を適用する組立式デスクの全体斜視図、図２〜図１３はその詳細を示し、図１４〜図２６は本発明に係る上キャビネットの構造及びその支持構造を示し、図中符号１はＬ形天板、２は矩形天板、３は端部脚体、４は中間部脚体、５はコーナー脚体、６は幕板、７は目隠しパネル、８は支柱、９は上キャビネットをそれぞれ示している。
【００１３】
本実施形態の組立式デスクは、図１、図５、図６及び図９に示すように、Ｌ形天板１と矩形天板２の端部側に、互に鏡像関係にある端部脚体３，３を配置するとともに、Ｌ形天板１と矩形天板２の連結部に中間部脚体４を配置し、更にＬ形天板１のコーナー部にコーナー脚体５を配置し、それらを互に後述の連結金具を介してビーム１０，…で連結するとともに、前記端部脚体３とコーナー脚体５との間、コーナー脚体５と中間部脚体４との間、及び中間部脚体４ともう一つの端部脚体３との間で、その後端面間に幕板６，…を着脱可能に取付けている。更に、本実施形態の組立式デスクには、前記幕板６の背面側に目隠しパネル７を着脱可能に取付けることができるように構成している。そして、前記Ｌ形天板１の後縁とその幕板６との間にはダクト開口１１が形成されており、該Ｌ形天板１の下方で下端が固定された一対の支柱８，８が前記ダクト開口１１を通して立設され、両支柱８，８の上端部に上キャビネット９，９が支持されている。
【００１４】
前記端部脚体３とビーム１０との連結はＴ字形金具１２を用いて行い（図４及び図５参照）、前記中間部脚体４とビーム１０との連結は十字形金具１３を用いて行い（図６参照）、そしてコーナー脚体５との連結はコーナー脚体５に取付けた受け金具１４とビーム１０の端部に連結した連結金具１５を互に所定角度で連結する（図７〜図９参照）。
【００１５】
本実施形態に係る組立式デスクの基本構成は、二つの端部脚体３と、中間部脚体４及びコーナー脚体５をデスク形態に応じて適数用い、それに幕板６とビーム１０、更に二つＴ字形金具１２と、十字形金具１３及び受け金具１４、連結金具１５をデスク形態に応じて適数用いる。それに加えてＬ形天板１や矩形天板２をデスク形態に応じて適数用いる。図１に示したデスク形態は、Ｌ形天板１と矩形天板２を連結した平面視Ｌ字形である。この例では、二つの端部脚体３，３と、各一つの中間部脚体４及びコーナー脚体５と、３枚の幕板６，…と、３本のビーム１０，…と、二つＴ字形金具１２，１２と、一つの十字形金具１３及び一つの受け金具１４と二つの連結金具１５，１５を用いる。
【００１６】
そして、前記端部脚体３とコーナー脚体５を所定位置に立起保持し、前記ビーム１０の一端にＴ字形金具１２を連結するとともに、他端に連結金具１５を連結し、Ｔ字形金具１２を端部脚体３の上端部の前後中間部に連結するとともに、連結金具１５を前記コーナー脚体５の上端部の前方寄りに取付けた受け金具１４に所定角度（９０°Ｌ形天板１であれば４５°）で連結する。また、前記中間部脚体４を前記コーナー脚体５から所定距離だけ離した位置に立起保持し、ビーム１０の一端に十字形金具１３を連結するとともに、他端に連結金具１５を連結し、十字形金具１３を中間部脚体４の上端部の前後中間部に連結するとともに、連結金具１５を前記コーナー脚体５に取付けた前記受け金具１４に所定角度（９０°Ｌ形天板１であれば４５°）で連結する。それから、前記幕板６を前記端部脚体３とコーナー脚体５の後端面の上部に渡して上方から嵌合係止し、もう一辺側にも前記幕板６を前記コーナー脚体５と中間部脚体４の後端面の上部に渡して上方から嵌合係止する。この際、前記幕板６の上昇を抑制して係合状態を維持する。また、前記端部脚体３の上端部の前方寄り位置には、内側方に直角に向くように短連結板１６の一端部を取付け、前記中間部脚体４の上端部の前方寄り位置には、両端部が両側方に直角に向くように長連結板１７の中央部を取付けている。また、前記コーナー脚体５の上端部の後部寄り位置に固定板１８を取付けている。そして、前記端部脚体３、中間部脚体４及びコーナー脚体５の上に、前記Ｌ形天板１を載置し、下方から前記ビーム１０，１０、短連結板１６、長連結板１７及び固定板１８に挿通したネジ１９，…を該Ｌ形天板１の下面に形成した螺孔２０，…に螺合して取付けている。
【００１７】
そして、前記Ｌ形天板１の一側方に矩形天板２を延設するには、先ず前記中間部脚体４に連結した前記十字形金具１３にビーム１０の一端を連結するとともに、該ビーム１０の他端にＴ字形金具１２を連結し、前記中間部脚体４から所定距離だけ離して端部脚体３を立起するとともに、該端部脚体３の上端部の前後中間部に前記Ｔ字形金具１２を連結し、それから幕板６を該端部脚体３と前記中間部脚体４の後端面の上部に渡して上方から嵌合係止し、最後に前記矩形天板２を当該端部脚体３と中間部脚体４の上に載置し、下方から前記ビーム１０、端部脚体３の上端部の前方寄り位置に内側方へ向けて取付けた短連結板１６と前記中間部脚体４の上端部の前方寄り位置に両側方へ向けて取付けた長連結板１７に挿通したネジ１９，…を該矩形天板２の下面に形成した螺孔２０，…に螺合して取付けている。
【００１８】
また、前記目隠しパネル７を前記幕板６の背面側に取付けるには、図１２に示すように、前記幕板６の両端部上端に設けた上端キャップ２１と両端部下端に設けた受片２２を利用し、前記目隠しパネル７の前面であって両側下部に縦方向に取付けた係止金具２３で保持する。具体的には、前記上端キャップ２１には前方下降した傾斜面２４を有し、前記受片２２には係合孔２５を有し、前記係止金具２３の下端の突片２６を前記受片２２の係合孔２５に上方から落とし込むと同時に、該係止金具２３の上端のフック片２７を前記上端キャップ２１の傾斜面２４で載支するとともに、フック片２７を傾斜面２４にネジ止めする。
【００１９】
更に、上キャビネット９を設ける場合には、前記Ｌ形天板１と幕板６との間に形成された前記ダクト開口１１から上方へ立ち上げた一対の支柱８，８の上端部間に上キャビネット９を取付けるのである。ここで、前記上キャビネット９は、前記コーナー脚体５と中間部脚体４との間でＬ形天板１の後部の上位、あるいは端部脚体３と中間部脚体４との間で矩形天板２の後部の上位に設けることも可能である。
【００２０】
次に、デスクの全体形状について説明する。前記Ｌ形天板１は、平面視略Ｌ字形で、コーナー部の角度は９０°、１２０°、１３５°のものがあり、着座側のコーナー内角部には滑らかに湾曲している。本実施形態では角度が９０°のものを示している。また、前記矩形天板２は平面視長方形であるが、両側縁の奥行幅が他の連設する天板の奥行幅と一致すれば、左右の側縁で奥行幅を変え、前縁を滑らかな曲線で結んだ形状であっても構わない。
【００２１】
前記端部脚体３と中間部脚体４は、図４〜図６に示すように略同一構造であり、上下方向に延びた偏平四角筒状の脚板部２８と、該脚板部２８の上端に取付ける上支持部材２９と、該脚板部２８の下端に取付ける下支持部材３０と、前記脚板部２８の前端面に取付ける化粧部材３１とから概略構成されている。前記端部脚体３と中間部脚体４の違いは、脚板部２８に設ける縦ダクト３２の凹溝を形成する位置だけであり、端部脚体３では内側面に縦ダクト３２を設け、中間部脚体４では両側面に縦ダクト３２，３２を設けている。尚、前記縦ダクト３２には、着脱可能にダクトカバー３３を装着している。ここで、前記脚板部２８は板金加工で作製し、前記上支持部材２９と下支持部材３０はアルミダイキャストで作製し、前記化粧部材３１はアルミ押出し成形によって作製している。
【００２２】
各部の詳細について説明する。先ず、前記Ｌ形天板１及び矩形天板２は、木質系の板体であり、下面には所定位置に前記螺孔２０，…を設けるために、オニメナットを埋設しており、また位置決めのための係合穴３４，…も形成している。しかし、天板の構造は何ら限定されるものではない。
【００２３】
次に、前記端部脚体３と中間部脚体４について説明する。前述のように端部脚体３と中間部脚体４の相違点は脚板部２８の形状のみである。前記脚板部２８は、図４に示すように、前方開放した平面視略コ字形の胴板３５と、該胴板３５の前縁部間に介在させる断面略コ字形の前補強部材３６と、該胴板３５の上下端部に介装する断面略コ字形の上補強部材３７及び下補強部材３８から構成されている。そして、前記胴板３５の前縁部間に前補強部材３６をスポット溶接するとともに、前記胴板３５の上下端部に上補強部材３７及び下補強部材３８をスポット溶接し、箱型の前記脚板部２８を形成する。ここで、前記上補強部材３７と下補強部材３８とは同一部材で、更に左右対称形であり、それぞれ前記上支持部材２９と下支持部材３０の固定部を受け入れてボルト固定できるようになっている。
【００２４】
また、図４〜図６に示すように、前記端部脚体３及び中間部脚体４の前記Ｔ字形金具１２又は十字形金具１３を取付ける上端の後方寄り位置には、前記上支持部材２９に上方へ開放した凹陥部３９を形成し、該凹陥部３９には側方へ開放した切欠部４０を連通形成している。ここで、前記端部脚体３では内側に位置する側壁に前記切欠部４０を形成し、前記中間部脚体４では両側に位置する両側壁に前記切欠部４０，４０を形成している。また、前記化粧部材３１は、図４に示すように、前記胴板３５の前補強部材３６を隠蔽するように取付ける。
【００２５】
前記コーナー脚体５は、図７〜図９に示すように、板金加工で作製した筒状構造を有し、前端面に前記化粧部材３１を設けるとともに、後端は平面視においてそれぞれ左右に４５°傾いた傾斜後面板４１，４１を直交状態で設けている。
【００２６】
そして、図４、図１２及び図１３に示すように、前記端部脚体３と中間部脚体４の後面板４２の上部には、それぞれ上下一対となった係止具４３，４３を左右に２列、合計４個の係止具４３，…をネジ止めして突設している。この係止具４３は前記後面板４２に取付けた状態で上向きフックを構成する。また、前記コーナー脚体５の各傾斜後面板４１の上部にも一対の係止具４３，４３を上下に突設している。そして、前記幕板６の前面で両側部には、前記係止具４３，…に対応する位置に４つの係止孔４４，…を開口している。そして、前記幕板６の係止孔４４，…に対応する前記端部脚体３と中間部脚体４の後面板４２の係止具４３，…に上方から嵌合係止する。それから、押え金具４５を前記上支持部材２９の後端部にネジで取付けると同時に、該押え金具４５の後端部の両側に形成した下向き爪４６，４６を、前記幕板６の上端キャップ２１を取付けた部分のスチール板上端に形成した左右２つの係合段部４７，４７に上方から係合して、当該幕板６の上動を規制し、前記係止孔４４から係止具４３が抜けるのを防止している。
【００２７】
ここで、前記端部脚体３に幕板６を連結する場合には、４つの前記係止具４３，…に幕板６の４つの係止孔４４，…を嵌合係止する。それに対して、前記中間部脚体４に幕板６，６を連結するには、図１３に示すように、正面視において、前記中間部脚体４の左列の上下係止具４３，４３に、左側の幕板６の外側列の係止孔４４，４４を嵌合係止し、該中間部脚体４の右列の上下係止具４３，４３に、右側の幕板６の外側列の係止孔４４，４４を嵌合係止する。つまり、前記幕板６の側端縁は、前記中間部脚体４の中心線に一致する。この場合、前記押え金具４５の左側の下向き爪４６は、左側の幕板６の外側の係合段部４７に係合するとともに、右側の下向き爪４６は、右側の幕板６の外側の係合段部４７に係合する。即ち、一つの押え金具４５で、両側の幕板６，６を、同時に押さえ込むのである。
【００２８】
同様に、前記コーナー脚体５の傾斜後面板４１に突設した係止具４３，４３に、前記幕板６の上下の係止具４３，４３を嵌合係止する。前記コーナー脚体５に嵌合係止した前記幕板６の上動を規制する押え手段も適宜設ける。また、図９に示すように、前記コーナー脚体５の両傾斜後面板４１，４１に取付けた両幕板６，６の端部間には、四角形の化粧支柱４８を配設している。
【００２９】
次に、図５〜図１１に基づいて、前記端部脚体３とコーナー脚体５との間、コーナー脚体５と中間部脚体４との間、端部脚体３と中間部脚体４との間に、前記ビーム１０，…を連結する構造を説明する。前記Ｔ字形金具１２は、図４、図５及び図１０に示すように、平面視略Ｔ字形のアルミダイキャスト製のブロック体であり、一端部に前記端部脚体３の上支持部材２９に取付ける取付部４９と、該取付部４９から側方へ延びた連結部５０とからなる。前記取付部４９は、上支持部材２９の凹陥部３９内に嵌合し、上方からボルト５１，５１にて螺合し、前記連結部５０の基部は、前記上支持部材２９の切欠部４０を通して当該端部脚体３の内方へ突出する。一方、前記ビーム１０は、前記Ｔ字形金具１２の連結部５０に外嵌する寸法のスチール製の角パイプである。そして、前記Ｔ字形金具１２の連結部５０に前記ビーム１０の一端部を外嵌した後、上方からネジ５２を連結部５０に螺合する。そして、前記Ｔ字形金具１２の連結部５０とビーム１０の端部に、下方からネジ１９を貫通させて、Ｌ形天板１の螺孔２０に螺合する。
【００３０】
前記中間部脚体４の両側にビーム１０，１０を連結するには、図６及び図１１に示すように、前記十字形金具１３を用いる。前記十字形金具１３は、平面視略十字形のアルミダイキャスト製のブロック体であり、中央部に前記端部脚体３の上支持部材２９に取付ける取付部５３と、該取付部５３から両側方へ延びた連結部５４，５４とからなる。ここで、前記取付部５３は、前記Ｔ字形金具１２の取付部４９と略同じ形状であり、また前記連結部５４も前記Ｔ字形金具１２の連結部５０と略同じ形状である。つまり、前記取付部５３は、上支持部材２９の凹陥部３９内に嵌合し、上方からボルト５１，５１にて螺合する。そして、前記連結部５４，５４の基部は、前記上支持部材２９の切欠部４０，４０を通して当該端部脚体３の両側方へ突出する。そして、前記十字形金具１３の両連結部５４，５４にそれぞれ前記ビーム１０，１０の一端部を外嵌した後、上方からネジ５２を連結部５４に螺合する。そして、前記十字形金具１３の連結部５４，５４とビーム１０，１０の端部に、下方からネジ１９，１９を貫通させて、前記Ｌ形天板１と矩形天板２の下面に形成した螺孔２０に螺合する。この場合、前記中間部脚体４の中心線はＬ形天板１と矩形天板２の接合線に一致する。尚、矩形天板２，２同士の連結においても同様である。
【００３１】
また、図７〜図９に示すように、前記コーナー脚体５の上端の前部に固定した受け金具１４は、アルミダイキャスト製のブロック体であり、前記コーナー脚体５の上端に取付ける固定部５５と、該固定部５５から前方へ延び、前記連結金具１５，１５を角度調節可能に連結する二方連結部５６と、前記固定部５５の両側に延びた翼部５７，５７とを有している。前記固定部５５は、ボルト５８，…にて前記コーナー脚体５の上端に固定する。前記二方連結部５６は、外周が円弧状となっており、円弧状の外周縁に沿って三つの孔が連続した多連孔５９，５９を上下貫通形成している。ここで、両多連孔５９，５９の接近した内側の孔部から離間した外側の孔部へ三対あり、それぞれ内側から外側へ順に９０°、１２０°、１３５°の角度に、前記連結金具１５，１５をボルト６０で連結できるようになっている。また、前記連結金具１５は、アルミダイキャスト製のブロック体であり、前記受け金具１４の二方連結部５６に連結する基部６１と、該基部６１から延びた連結部６２とからなる。そして、前記連結金具１５の連結部６２には、前記端部脚体３に取付けたＴ字形金具１２に連結した前記ビーム１０の端部又は前記中間部脚体４に取付けた十字形金具１３に連結したビーム１０の端部を外嵌し、両者をネジ止めする。また、前記受け金具１４の翼部５７の先端部には、上方へ位置決めとＬ形天板１を取付けるための筒部６３を突設し、該筒部６３の中心孔は上下貫通している。
【００３２】
また、図５に示すように、前記端部脚体３の上支持部材２９の前部に凹段部６４を形成し、該凹段部６４に前記短連結板１６の一端部を嵌合してネジ止めして取付ける。一方、図６に示すように、前記中間部脚体４の上支持部材２９の凹段部６４に、前記長連結板１７の中央部を嵌合するとともに、該中央部をネジ止めして取付ける。そして、前記短連結板１６と長連結板１７の両突出端部に下方から前記ネジ１９，…を通してＬ形天板１と矩形天板２の螺孔２０，…にそれぞれ螺合する。尚、前記上支持部材２９の前端部には、上下に貫通した連結孔６５を形成してあり、前記端部脚体３では下方から固定ネジ６６を挿通してＬ形天板１又は矩形天板２の前側の螺孔２０に螺合する。
【００３３】
このように、下方から複数箇所でネジ１９，…や固定ネジ６６をＬ形天板１と矩形天板２の複数の螺孔２０，…に位置を合わせて螺合する必要がある。この位置決めを容易にするために、前記Ｔ字形金具１２、十字形金具１３、受け金具１４、短連結板１６及び長連結板１７の上面にダボ６７，…を突設し、前記Ｌ形天板１と矩形天板２の下面の所定位置に予め形成しておいた前記係合穴３４，…に係合するようにしている。
【００３４】
このようにデスクの基本構成は完成するが、前記幕板６の背後に目隠しパネル７を取付けるには、図３及び図１２示すように、前記幕板６の両側下端に前記受片２２，２２を取付け、また目隠しパネル７の前面両側部に前記係止金具２３，２３を取付けておき、該係止金具２３の下端の突片２６を、前記幕板６の下端後方に臨んだ前記受片２２の係合孔２５に落とし込むと同時に、前記係止金具２３の上端のフック片２７を、前記幕板６の両側上端に取付けた上端キャップ２１の傾斜面２４に載支し、該フック片２７に形成した通孔に上方から挿通した固定ネジを前記傾斜面２４に形成した螺孔に螺合して取付ける。ここで、前記係止金具２３のフック片２７が上端キャップ２１の傾斜面２４に載支したので、前記目隠しパネル７の自重によって前記幕板６の背面に接近するように作用するので、前記固定ネジを螺孔に螺合する前に前記目隠しパネル７から手を離してもその状態は維持されている。また、前記目隠しパネル７の高さを微調節するには、前記上端キャップ２１の傾斜面２４と係止金具２３のフック片２７との間に適数枚のシート又は板を挟めば良い。
【００３５】
また、図１２及び図１３に示すように、前記幕板６の両側上端部の上端キャップ２１と、前記係止金具２３の上端部と、前記押え金具４５と、更に前記上支持部材２９の後端部とを隠蔽するための化粧キャップ６８を嵌着している。
【００３６】
次に、図１、図９、図１４〜図２６に基づいて本発明に係る上キャビネット９の構造及びその支持構造を詳細に説明する。前記上キャビネット９は、前記Ｌ形天板１の後縁とその幕板６との間に形成されたダクト開口１１を通して立設され、該Ｌ形天板１の下面側において前記端部脚体３とビーム１０を利用して端部固定金具６９にて固定された端部側の支柱８と、前記コーナー脚体５を利用してコーナー固定金具７０にて固定されたコーナー部側の支柱８との上端に渡した支持板７１に載置した状態で取付けられる。ここで、前記支持板７１には図１に示すように横方向に２個の上キャビネット９，９を並べて一体化した状態で取付けることも、更に３個以上を取付けることも原理的には可能である。
【００３７】
先ず、図１４及び図１５に基づいて、前記支柱８の下端を固定して立起状態に保持するための端部固定金具６９を説明する。前記端部固定金具６９は、平面視略四角形の固定板７２の後方端部に開口部７３を形成し、該開口部７３に前記支柱８の下端部を嵌挿するとともに、該固定板７２の下面に溶着した断面略コ字形の補強部材７４の凹溝内の底板７５に支柱８の下端を当止し、該底板７５の下方から前記支柱８の下端片７６にネジ７７を螺着するとともに、前記開口部７３の口縁部で前記支柱８を溶接して強固に連結する。また、前記端部固定金具６９は、前記固定板７２の四辺を下方へ折曲して強固な箱型構造とし、前側には下方へ折曲した下縁を前方へ折曲して断面略Ｌ字形の第１取付部７８を形成するとともに、左右一側を下方へ折曲して前記第１取付部７８よりも下方へ延びた第２取付部７９を形成している。そして、前記第１取付部７８を前記端部脚体３に連結したビーム１０を後方且つ下方から抱き込むように嵌合し、該第１取付部７８の水平片７８Ａを該ビーム１０の下面にネジ８０，８０を螺合するとともに、前記第２取付部７９を前記端部脚体３の脚板部２８の内側面にネジ８１，…を螺合して取付ける。前記支柱８は、下端部を前記端部固定金具６９の固定板７２の開口部７３の口縁部で溶接するとともに、該固定板７２の下方に間隔を隔てて設けた前記補強部材７４の底板７５に下端をネジ止めする２点支持構造であるので、曲げ強度に対して耐久性が高い取付構造となる。
【００３８】
ここで、前記端部固定金具６９の第１取付部７８を前記ビーム１０へ取付け、第２取付部７９の前記端部脚体３に取付けた状態で、前記固定板７２の側縁に有する突縁７２Ａが前記端部脚体３の脚板部２８の上縁と上支持部材２９とので形成される段部２８Ａに係合し、また前記固定板７２の上面は、前記ビーム１０の上面と面一になり、この上に前記Ｌ形天板１を載置して取付けることができるように、前記固定板７２には取付孔８２，…を形成し、前記Ｌ形天板１の下面に形成した螺孔２０，…にネジ１９，…にて連結するとより強固になる。更に、前記第１取付部７８の水平片７８Ａを貫通し、前記ビーム１０の端部に螺合するネジ８０を前記Ｔ字形金具１２の連結部５０に螺合するようにすれば更に強固になる。
【００３９】
前記端部固定金具６９を所定位置に取付け、その後に前記Ｌ形天板１を取付けた状態では、当該端部固定金具６９に下端を固定した前記支柱８は該Ｌ形天板１の後縁と前記幕板６との間に形成されたダクト開口１１から上方へ立ち上がった状態となるのである。この場合、前記支柱８及び端部固定金具６９は、前記幕板６には連結されてなく、従って幕板６を単に端部脚体３の後面板４２と前記コーナー脚体５の傾斜後面板４１に設けた係止具４３，…に単に嵌合係止しているだけであって、前記支柱８の支持強度に何ら影響を及ぼさないのである。尚、前記端部固定金具６９の取付作業は、前記Ｌ形天板１を取付けた後でも、前記幕板６を外した状態でＬ形天板１の後方から容易に行うことができる。また、前記支柱８を立設するか否かに係わらず、前記Ｌ形天板１には表面側の形状に何らかの影響を及ぼす加工は一切不要である。
【００４０】
次に、図９及び図１６に基づいて、前記支柱８の下端を固定して立起状態に保持するための前記コーナー固定金具７０を説明する。前記コーナー固定金具７０は、平面視略直角三角形状の固定板８３の一方の斜辺近傍に開口部８４を形成し、該開口部８４に前記支柱８の下端部を嵌挿するとともに、該固定板８３の下面に間隔を設けて配置した板状の補強部材８５に支柱８の下端を当止し、該補強部材８５の下方から前記支柱８の下端片７６にネジ７７を螺着するとともに、前記開口部７３の口縁部で前記支柱８を溶接して強固に連結する。
【００４１】
更に詳しくは、前記コーナー固定金具７０の固定板８３であって、前記開口部８４に沿って下方へ折曲板８６を形成するとともに、該折曲板８６に直交させて前縁部に折曲板８７を形成して補強するとともに、前記固定板８３の下面に断面略コ字形の保持部材８８を溶着し、該保持部材８８の一対の垂下した保持板８９，８９で前記コーナー脚体５の上端部を両側から抱き込むようになっている。そして、前記補強部材８５は、前記折曲板８６，８７と一方の保持板８９に周縁を接合して水平に配した状態で溶接固定している。
【００４２】
そして、前記コーナー固定金具７０の保持部材８８を前記コーナー脚体５の上端部に外嵌し載置して、該保持部材８８の両保持板８９，８９を前記コーナー脚体５の両側面にそれぞれネジ９０，…で螺着する。前記固定板８３は、前記コーナー脚体５の後部上面に水平に保持されるが、その一部は前記受け金具１４の翼部５７，５７の上面に接合し、該固定板８３に形成した円孔９１，９１に前記筒部６３，６３が嵌合するようにしている。このように、前記コーナー固定金具７０の固定板８３は、前記コーナー脚体５の上面と受け金具１４の翼部５７，５７に載置し、両保持板８９，８９を該コーナー脚体５の両側面にネジ止めするとともに、円孔９１，９１と筒部６３，６３が嵌合することにより、当該コーナー脚体５に対するコーナー固定金具７０の位置決めを正確に行われた状態で、強固に取付けられている。ここで、前記コーナー固定金具７０の固定板８３の上面と前記ビーム１０の上面とは面一に設定しているから、ビーム１０の上に前記Ｌ形天板１を対置すると、その下面が前記固定板８３の上面に接合する。そして、前記受け金具１４の筒部６３，６３に下方から挿通してネジ１９，１９をＬ形天板１の下面に形成した螺孔２０，２０に螺合する。この状態で、前記Ｌ形天板１の後縁と幕板６との間に形成されたダクト開口１１を通して立起状態で保持されるのである。
【００４３】
前記コーナー固定金具７０での支柱８に対する支持構造は、前述の端部固定金具６９と同じ技術的思想で構成されている。つまり、前記固定金具６９，７０に対する支柱８の連結は、固定板７２，８３に形成した開口部７３，８４に支柱８の下端部を嵌挿し、該固定板の下方に間隔を置いて設けた補強部材７４，８５の板部に下端を当止して下方からネジ止めするとともに、前記開口部７３，８４の口縁部で支柱８と溶接する、つまり上下２点支持構造である。また、前記固定金具６９，７０は、Ｌ形天板１の下面側で幕板６とは関係なく脚体３，５に直接ネジ止めするとともに、前記ビーム１０や受け金具１４を利用して三次元的に複数箇所で固定するのである。
【００４４】
尚、本実施形態では、Ｌ形天板１を有するＬ形デスクの後縁の両側端部に支柱８，８を立設するものを示したが、矩形天板２の両端に端部脚体３，３が取付けられた平デスクの後縁の両側部に支柱８，８を立設する場合には、前述の右側の端部脚体３に取付けた右側用の端部固定金具６９と鏡像関係にある左側用の端部固定金具を前記同様に取付ければ良い。
【００４５】
ここで、本実施形態で使用した前記支柱８の構造について簡単に説明する。前記支柱８は、図９、図１４〜図１６に示すように、断面略コ字形の主杆体９２をその凹溝を前面側に向け、該主杆体９２の前面側からそれよりも横幅が広い断面略コ字形の化粧カバー９３を被せて互にスポット溶接等によって固定し、全体として筒状構造としたものである。また、前記化粧カバー９３の後縁に沿った主杆体９２の両側面に上下方向に一体間隔毎に縦長の係止孔９４，…を形成している。前記支柱８の係止孔９４，…は、両側に立設した状態で、両支柱８，８間に棚板やピンナップボード等のオプションを支持するブラケットを係止するために使用する。
【００４６】
次に、本発明に係る上キャビネット９は、図１７〜図２６に示すように、前面開放した箱型の本体部１００の前面に上下開閉可能に開閉扉１０１を設けるとともに、該開閉扉１０１の下部に沿って引手部材１０２を設け、前記本体部１００の両側には側面カバー１０３，１０３で覆われたリンク機構部１０４，１０４が設けられ、該リンク機構部１０４を介して前記開閉扉１０１と引手部材１０２が連動し、該引手部材１０２を引き下げると前記開閉扉１０１が上方へ回動して前記本体部１００の前面を開放するようになっている。また、前記開閉扉１０１の裏面上部であって、前記リンク機構部１０４による該開閉扉１０１の回動中心よりも高さＨだけ高い位置に、後方へ突出した膨出部１０５，１０５を左右に設けている。
【００４７】
そして、図１７、図１８及び図２１に示すように、前記支柱８，８の上端に固定した前後方向に向いたブラケット１０６，１０６に前記支持板７１の両端部を載置して下方からネジ１０７，１０７でそれぞれ取付け、前記本体部１００の底面板１０８の前後中央部に左右両側に連続した下方開放の凹段部１０９を形成し、該凹段部１０９を前記支持板７１に上方から嵌合した状態で載置するとともに、端部に位置する前記側面カバー１０３の下端部で前記凹段部１０９の側方開放部を塞ぎ、且つ前記支持板７１の側端を当止し、前記底面板１０８を前記支持板７１に本体部１００の内部からネジ１１０，…にて締結している。
【００４８】
このように、前記本体部１００の底面板１０８の凹段部１０９を、前記支持板７１に嵌合した状態では、該凹段部１０９を形成する前後の突縁部１１１，１１１が前記支持板７１の前後端に当接するので、該本体部１００の前後方向の位置決めが確実であり、また本体部１００の側端部に取付けた前記側面カバー１０３の下端部で前記支持板７１の側端を当止するので、該本体部１００の横方向の位置決めが確実であり、その後のネジ１１０による締結作業が容易になるのである。
【００４９】
更に詳しくは、前記支持板７１は、前後縁に立上げた縁板１１２，１１２を有し、該縁板１１２の上端は内向きに端面略Ｌ字形に折曲して載置縁１１３をそれぞれ形成し、前後中央部にも長手方向に延びたハット形の中補強１１４を固着し、該中補強１１４には前記載置縁１１３と同一面となる載置台１１５を設けている。更に、前記縁板１１２と中補強１１４との間には前補強１１６と後補強１１７をそれぞれ固着し、それぞれ底板部に固着する部分に前記ネジ１０７を螺合するナット１１８を固着し、また底板部から浮いた取付面１１９にもその下面に前記ネジ１１０を螺合するナット１２０を固着している。一方、前記本体部１００の底面板１０８の凹段部１０９内には前記支持板７１の前後の載置縁１１３，１１３及び中央部の載置台１１５に載置する平面を有するとともに、前記ナット１２０，１２０に対応する位置に下方へ凹んだバーリング孔１２１，１２１を形成している。ここで、前記凹段部１０９を支持板７１に載置した際に、該バーリング孔１２１の突出端が前記取付面１１９に当接するように設定している。
【００５０】
更に、前記上キャビネット９の詳細を図１７及び図１８に基づいて説明する。前記本体部１００は、前記底面板１０８と、該底面板１０８の上面両側縁に立起状態で固着する側面板１２２，１２２と、前記底面板１０８の後縁に立設し、両側部を前記側面板１２２，１２２の後縁と上縁に固着する背面板１２３と、該背面板１２３に連続した上面板１２４とからなる。前記上面板１２４の前縁は前下方に傾斜した傾斜面１２５となっている。
【００５１】
前記開閉扉１０１は、側面視逆Ｌ字形の表面板１２６と、該表面板１２６の裏面に装着する裏面板１２７とから中空パネル構造となっている。そして、前記裏面板１２７の上部には板材をプレス加工して後方を突出した前記膨出部１０５，１０５を形成している。ここで、前記膨出部１０５の縦断面形状は略半円形状である。また、前記開閉扉１０１の左右中央部の下端部に後述のラッチ式の施錠装置１２８を内蔵している。
【００５２】
前記引手部材１０２は、図１７及び図１８に示すように、アルミ押出し型材で形成し、前面部に凹んだ指掛け部１２９を有するとともに、上縁部は前記開閉扉１０１の下縁後面側の段部１３０に係合する係合凸部１３１を形成している。ここで、前記係合凸部１３１の左右中央部には切欠１３２を形成している。
【００５３】
次に、前記開閉扉１０１と引手部材１０２が連動させるリンク機構部１０４を簡単に説明する。前記リンク機構部１０４は、前記開閉扉１０１に取付けて上下回動させる扉リンク部材１３３と、前記引手部材１０２に取付けて上下回動させる引手リンク部材１３４と、両リンク部材を連動させる連結部材１３５と、前記開閉扉１０１との重量バランスを取るための引張りコイルばね１３６とから構成されている。前記扉リンク部材１３３は、後部を前記側面板１２２の上部で前後中央部に突設した枢軸１３７で上下回動可能に支持するとともに、該枢軸１３７による枢着点から前方へ延び、それから下方へ延び、更に前方へ延びたクランク状のアーム１３８の先端に側面視略Ｔ字状に連結片１３９を設け、該連結片１３９を前記開閉扉１０１の側端部に沿わせて取付けている。また、前記引手リンク部材１３４は、中央部を前記側面板１２２の下方前部に突設した枢軸１４０で上下回動可能に支持するとともに、該枢軸１４０による枢着点から前方へ側面視略Ｌ字形に延びたアーム１４１の先端部を前記引手部材１０２の側端面に取付け、また枢軸１４０による枢着点から後方へ作動片１４２が延びている。そして、前記扉リンク部材１３３のアーム１３８の中間部と前記引手リンク部材１３４の作動片１４２の後端部を前記連結部材１３５の両端にそれぞれ枢着している。更に、前記扉リンク部材１３３の枢軸１３７による枢着点から後方へ延びた部分と、前記側面板１２２の後方下端の角部との間に前記引張りコイルばね１３６を介在させている。
【００５４】
そして、図２１に示す開閉扉１０１が閉じた状態から、前記引手部材１０２の指掛け部１２９に指を掛けて引き下げれば、前記引手リンク部材１３４の作動片１４２が上方へ回転し、リンク部材１３５を介して前記扉リンク部材１３３のアーム１３８を押上げ、もって扉リンク部材１３３が枢軸１３７を中心に上方へ回転して、図２２に示すように、前記開閉扉１０１は前記本体部１００の上方へ退避して、該本体部１００の前面が開放するのである。
【００５５】
ここで、前記開閉扉１０１が閉止状態と開放状態になったときにクリック感を持たせるために、図２０〜図２１に示すように、前記枢軸１４０を取付けたベース１４３に前記引手リンク部材１３４の枢着板１４４を摺動可能となし、前記枢着板１４４の外側にばね板１４５を圧接し、前記枢着板１４４の回転方向に所定角度離した位置に設けた二つの係合凹部１４６，１４６に、前記ばね板１４５に設けた弾片１４７が閉止状態と開放状態とで係合するようにしている。
【００５６】
また、前記側面板１２２の中央部にはストッパー１４８を突設し、前記開閉扉１０１が閉止状態で前記扉リンク部材１３３のアーム１３８のエルボー部が当止し、また開放状態で前記引手リンク部材１３４の作動片１４２が当止するようになっている。
【００５７】
このように、前記両側面板１２２，１２２の外側にはリンク機構部１０４が設けられるが、これらを当該側面板１２２の外側に取付けた前記側面カバー１０３で隠蔽するのである。そして、前記側面板１２２の上下縁には外側へ直角の折曲した下片１４９と上片１５０を有し、前記側面カバー１０３の内側面の下縁部に、前記下片１４９の前後部に形成したスリット孔１５１，１５１に上方から落とし込む下向き爪片１５２，１５２を形成するとともに、前記側面カバー１０３の上縁に前記上面板１２４の側縁上面に係止する係止片１５３を形成し、上方からネジ１５４を係止片１５３と上面板１２４を貫通させて前記上片１５０に螺合して取付ける。
【００５８】
前述の上キャビネット９には、書籍やその他の物品を収容するが、通常は後述の施錠装置１２８を開錠状態で使用する。この場合、前記開閉扉１０１は、その重量によって閉止状態を維持している。しかし、不意に地震が発生し、内部に収容した物品が前方へ移動したときに、前記開閉扉１０１の下部に当れば該開閉扉１０１を押上げる方向に力が作用する。そこで、本実施形態ではこのような場合でも前記開閉扉１０１に押上げる力が作用しないように、図２１に示すように、当該開閉扉１０１の回動中心、即ち前記扉リンク部材１３３の枢軸１３７の中心を結ぶ水平線よりも高さＨだけ高い位置に前記膨出部１０５の頂部を設定している。つまり、内部に収容した物品が前方へ移動すると、前記膨出部１０５の頂部に真っ先に当るので、その衝撃力は前記開閉扉１０１を閉止方向へ作用するので、不意に開閉扉１０１が開放して収容物品が天板上に落下することがないのである。
【００５９】
次に、図２１〜図２５に基づいて、前記開閉扉１０１を閉止状態で前記引手部材１０２にラッチにて係着するための施錠装置１２８を説明する。前記開閉扉１０１の表面板１２６と裏面板１２７の間の空間内に取付けた施錠装置１２８は、保持ケース１５５内に固定したシリンダー錠１５６と、シリンダー錠１５６の施錠、開錠動作に連動して係脱動作するラッチ機構１５７とよりなる。前記シリンダー錠１５６には、ラッチ機構１５７を構成する正面視逆Ｔ字形の操作片１５８が組み込まれ、該操作片１５８は施錠動作時に下動し、開錠動作時に上動するようになっている。そして、前記ラッチ機構１５７は、前記保持ケース１５５の下端部両側にラッチ片１５９，１５９を回動可能に取付けるとともに、該ラッチ片１５９，１５９の基端部内側部分を前記操作片１５８の下端部両側にそれぞれリンク連結し、前記保持ケース１５５の下端両側部の壁部に形成した開口１６０，１６０から、前記ラッチ片１５９，１５９が出没するようにしている。前記保持ケース１５５の下端部は、前記裏面板１２７の下端の段部１３０から下方へ突出してあり、開閉扉１０１の閉止時に前記引手部材１０２の切欠１３２内に進入し、施錠時に前記ラッチ片１５９，１５９が突出して前記係合凸部１３１の内側に係止するのである。
【００６０】
最後に、図２６に基づいて前記支持板７１の上に、２個の上キャビネット９，９を載置して支持するために、両上キャビネット９，９同士を連結する構造を簡単に説明する。左右の両端部には前記側面カバー１０３，１０３を取付けるが、中間部に設ける側面カバー１０３Ａは、下縁部に前記支持板７１を受け入れる切欠部１６１を形成している。この側面カバー１０３Ａを側面板１２２に取付ける構造は前記同様である。そして、前記支持板７１に２個の上キャビネット９，９を載置し、前述のように支持板７１にネジ１１０，…で連結した状態で、中央部で接合された一方の上キャビネット９の側面板１２２、側面カバー１０３Ａと他方の上キャビネット９の側面板１２２、側面カバー１０３Ａの上部前後部に形成したバーリング孔１６２，１６２と通孔１６３，１６３とに雄ネジ１６４と雌ネジ１６５とで締結するのである。尚、３個以上の上キャビネット９，…を前記支持板７１に取付ける構造も同様である。この場合、前記支持板７１の支柱８による支持部のスパンが長くなり過ぎると撓むので、両支柱８，８の中間部にも補助支柱を立設することが好ましい。
【図面の簡単な説明】
【００６１】
【図１】本発明に係る組立式デスクの代表的構成例を示す全体斜視図である。
【図２】同じく端部脚体側から見た側面図である。
【図３】同じく縦断面図である。
【図４】端部脚体の構造と天板との関係を示す分解斜視図である。
【図５】端部脚体と天板との組立構造を示す分解斜視図である。
【図６】中間部脚体と天板との組立構造を示す分解斜視図である。
【図７】受け金具と連結金具を取付けた状態のコーナー脚体の側面図である。
【図８】同じくコーナー脚体の平面図である。
【図９】Ｌ型デスクのコーナー部の構造を示す部分平面図である。
【図１０】Ｌ型デスク又は平デスクの端部における端部脚体、Ｌ字形金具及びビームとの関係を示す省略平面図である。
【図１１】Ｌ型デスクと平デスクを連設するデスク構成における中間部脚体、十字形金具及びビームとの関係を示す省略平面図である。
【図１２】脚体の後端部に幕板と目隠しパネルを取付ける構造を示す分解断面図である。
【図１３】中間部脚体に幕板を取付ける構造を示す部分斜視図である。
【図１４】端部固定金具によって支柱を立設する構造を示す部分分解斜視図である。
【図１５】同じく端部固定金具によって支柱を立設する構造を示す部分断面図である。
【図１６】コーナー固定金具によって支柱を立設する構造を示す部分分解斜視図である。
【図１７】上キャビネットの構造と支柱による支持構造を示す分解斜視図である。
【図１８】支柱の上端に連結した支持板に上キャビネットを装着する構造を示す部分分解断面図である。
【図１９】引手部材を操作性して開閉扉を開閉するリンク機構部を示す分解斜視図である。
【図２０】引手部材の枢着部に設けたクリック感を出すための機構を示し、（ａ）は分買う斜視図、（ｂ）は部分断面図である。
【図２１】支柱の上端に連結した支持板に上キャビネットを装着した状態で開閉扉の閉止状態を示す断面図である。
【図２２】同じく開閉扉の開放状態を示す断面図である。
【図２３】上キャビネットの簡略正面図である。
【図２４】施錠装置を示し、（ａ）は施錠状態の正面図、（ｂ）は開錠状態の正面図である。
【図２５】図２４（ａ）のＸ−Ｘ線断面図である。
【図２６】上キャビネット同士を連結する構造を示す部分分解斜視図である。
【符号の説明】
【００６２】
１  Ｌ形天板            ２  矩形天板
３  端部脚体            ４  中間部脚体
５  コーナー脚体        ６  幕板
７  目隠しパネル        ８  支柱
９  上キャビネット      １０  ビーム
１１  ダクト開口        １２  Ｌ字形金具
１３  十字形金具        １４  受け金具
１５  連結金具          １６  短連結板
１７  長連結板          １８  固定板
１９  ネジ              ２０  螺孔
２１  上端キャップ      ２２  受片
２３  係止金具          ２４  傾斜面
２５  係合孔            ２６  突片
２７  フック片          ２８  脚板部
２９  上支持部材        ３０  下支持部材
３１  化粧部材          ３２  縦ダクト
３３  ダクトカバー      ３４  係合穴
３５  胴板              ３６  前補強部材
３７  上補強部材        ３８  下補強部材
３９  凹陥部            ４０  切欠部
４１  傾斜後面板        ４２  後面板
４３  係止具            ４４  係止孔
４５  押え金具          ４６  下向き爪
４７  係合段部          ４８  化粧支柱
４９  取付部            ５０  連結部
５１  ボルト            ５２  ネジ
５３  取付部            ５４  連結部
５５  固定部            ５６  二方連結部
５７  翼部              ５８  ボルト
５９  多連孔            ６０  ボルト
６１  基部              ６２  連結部
６３  筒部              ６４  凹段部
６５  連結孔            ６６  固定ネジ
６７  ダボ              ６８  化粧キャップ
６９  端部固定金具      ７０  コーナー固定金具
７１  支持板            ７２  固定板
７３  開口部            ７４  補強部材
７５  底板              ７６  下端片
７７  ネジ              ７８  第１取付部
７８Ａ  水平片          ７９  第２取付部
８０  ネジ              ８１  ネジ
８２  取付孔            ８３  固定板
８４  開口部            ８５  補強部材
８６  折曲板            ８７  折曲板
８８  保持部材          ８９  保持板
９０  ネジ              ９１  円孔
９２  主杆体            ９３  化粧カバー
９４  係止孔
１００  本体部          １０１  開閉扉
１０２  引手部材        １０３，１０３Ａ  側面カバー
１０４  リンク機構部    １０５  膨出部
１０６  ブラケット      １０７  ネジ
１０８  底面板          １０９  凹段部
１１０  ネジ            １１１  突縁部
１１２  縁板            １１３  載置縁
１１４  中補強          １１５  載置台
１１６  前補強          １１７  後補強
１１８  ナット          １１９  取付面
１２０  ナット          １２１  バーリング孔
１２２  側面板          １２３  背面板
１２４  上面板          １２５  傾斜面
１２６  表面板          １２７  裏面板
１２８  施錠装置        １２９  指掛け部
１３０  段部            １３１  係合凸部
１３２  切欠            １３３  扉リンク部材
１３４  引手リンク部材  １３５  リンク部材
１３５  連結部材        １３７  枢軸
１３８  アーム          １３９  連結片
１４０  枢軸            １４１  アーム
１４２  作動片          １４３  ベース
１４４  枢着板          １４５  ばね板
１４６  係合凹部        １４７  弾片
１４８  ストッパー      １４９  下片
１５０  上片            １５１  スリット孔
１５２  爪片            １５３  係止片
１５４  ネジ            １５５  保持ケース
１５６  シリンダー錠    １５７  ラッチ機構
１５８  操作片          １５９  ラッチ片
１６０  開口            １６１  切欠部
１６２  バーリング孔    １６３  通孔
１６４  雄ネジ          １６５  雌ネジ
【図１】
0004816044.tif 000002
【図２】
0004816044.tif 000003
【図３】
0004816044.tif 000004
【図４】
0004816044.tif 000005
【図５】
0004816044.tif 000006
【図６】
0004816044.tif 000007
【図７】
0004816044.tif 000008
【図８】
0004816044.tif 000009
【図９】
0004816044.tif 000010
【図１０】
0004816044.tif 000011
【図１１】
0004816044.tif 000012
【図１２】
0004816044.tif 000013
【図１３】
0004816044.tif 000014
【図１４】
0004816044.tif 000015
【図１５】
0004816044.tif 000016
【図１６】
0004816044.tif 000017
【図１７】
0004816044.tif 000018
【図１８】
0004816044.tif 000019
【図１９】
0004816044.tif 000020
【図２０】
0004816044.tif 000021
【図２１】
0004816044.tif 000022
【図２２】
0004816044.tif 000023
【図２３】
0004816044.tif 000024
【図２４】
0004816044.tif 000025
【図２５】
0004816044.tif 000026
【図２６】
0004816044.tif 000027